(57)【要約】【課題】メンテナンス業者の負担が軽減されるトイレットペーパロールを提供する。【解決手段】所定の巻き軸１ａを中心にトイレットペーパ１０が巻かれてロールを形成し、その端部１１を引くことで、トイレットペーパ１０が回転して引出されるトイレットペーパロール１において、前記ロールの、前記巻き軸１ａに直交する２つの側面２０のそれぞれに、前記トイレットペーパ１０の引出し時の回転方向を表す円弧状矢印マーク２０が付されていることを特徴とする。これにより、トイレットペーパロールの、望ましい姿勢での収納等が容易に行えるようになり、メンテナンス業者の負担が軽減される。【選択図】図１
2015006229.tif 000002
【特許請求の範囲】
【請求項１】
所定の巻き軸を中心にトイレットペーパが巻かれてロールを形成し、その端部を引くことで、トイレットペーパが回転して引出されるトイレットペーパロールにおいて、
前記ロールの、前記巻き軸に直交する２つの側面のうちの少なくとも一方の側面に、前記トイレットペーパの引出し時の回転方向を表すマークが付されていることを特徴とするトイレットペーパロール。
【請求項２】
所定の巻き軸を中心にトイレットペーパが巻かれてロールを形成し、その端部を引くことで、トイレットペーパが回転して引出されるトイレットペーパロールにおいて、
前記ロールの、前記巻き軸に直交する２つの側面の相互間で、図柄が相違していることを特徴とするトイレットペーパロール。
【請求項３】
未使用時において、前記トイレットペーパの、前記端部から所定幅の領域のうちの少なくとも一部が、前記ロールの周面に貼り付けられており、
前記マークは、前記側面において、その円周上の前記領域と前記巻き軸とを結ぶ線から前記回転方向上流側の半面となる領域内に付されていることを特徴とする請求項１記載のトイレットペーパロール。
【請求項４】
前記側面に、前記マークが印刷されたシールが貼付されていることを特徴とする請求項１又は３記載のトイレットペーパロール。
【請求項５】
前記マークが矢印であることを特徴とする請求項１、３、又は４記載のトイレットペーパロール。
【発明の詳細な説明】
【技術分野】
【０００１】
本発明は、所定の巻き軸を中心にトイレットペーパが巻かれてロールを形成してなるトイレットペーパロールに関する。
【背景技術】
【０００２】
従来、上記のようなトイレットペーパロールの多くは、未使用状態において不用意に巻き解れてしまわないように、トイレットペーパの端部から所定幅の領域のうちの少なくとも一部がロールの周面に貼り付けられて仮止めされている。ホルダに未使用状態のトイレットペーパロールがセットされている使い始めの段階では、使用者は、上記の接着されている領域を周面から剥がしてトイレットペーパの端部を引き出す。
【０００３】
トイレットペーパロールのホルダの多くは、このホルダにセットされているトイレットペーパロールの周面の一部を上方あるいは前方から覆うカバーを備えている。トイレットペーパロールは、トイレットペーパの端部が引出されるときにホルダの奥側からカバーの直下を経て手前側へと向かう方向（上側から引出される方向。以下、当該方向を順方向と呼ぶ）に回転する姿勢でホルダにセットされることが望ましい。このような望ましい姿勢では、トイレットペーパの端部がカバーの直下から引出されるので、引出したトイレットペーパを切り取る際に、カバーの縁に沿わせて切り取ることができ便利である。
【０００４】
近年、駅やデパート等のトイレでは、トイレットペーパロールを使いきったときに直ぐに新しいトイレットペーパロールがホルダにセットされるように、予備のトイレットペーパロールを収納するストッカが設けられていることが多い（例えば、特許文献１参照）。このようなストッカが設けられているトイレでは、多くの場合、ストッカからホルダへとトイレットペーパロールがそのままスライド移動する構造となっている。このため、ストッカにも、このホルダにおける望ましい姿勢と同じ姿勢で予備のトイレットペーパロールが収納されることが望まれる。
【先行技術文献】
【特許文献】
【０００５】
【特許文献１】特開２００１−３０９８６６号公報
【発明の概要】
【発明が解決しようとする課題】
【０００６】
ここで、未使用状態のトイレットペーパロールは、メンテナンス業者がストッカに上記のような望ましい姿勢で収納するのに有用な情報が、特に無いか、子細に点検しなければ得難いものであることが多い。そして、個々のトイレットペーパロールについてこのような点検を経てストッカへと収納する作業は効率が悪く、メンテナンス業者にとって大きな負担となっている。
【０００７】
尚、ここまで、ストッカにトイレットペーパロールを収納する際のメンテナンス業者の負担について説明した。しかしながら、同様の負担は、ストッカが設置されていないトイレにおいて、ホルダにトイレットペーパロールを直接セットする際にも生じることである。また、同様の負担は、メンテナンス業者に限らず、ホルダにトイレットペーパロールをセットして使用する者にも生じ得る。
【０００８】
そこで、本発明は、ストッカやホルダに収納乃至セットする際の負担が軽減されるトイレットペーパロールを提供することを課題とする。
【課題を解決するための手段】
【０００９】
上述した課題を解決するため、請求項１にかかる発明は、
所定の巻き軸を中心にトイレットペーパが巻かれてロールを形成し、その端部を引くことで、トイレットペーパが回転して引出されるトイレットペーパロールにおいて、
前記ロールの、前記巻き軸に直交する２つの側面のうちの少なくとも一方の側面に、前記トイレットペーパの引出し時の回転方向を表すマークが付されていることを特徴とするトイレットペーパロールである。
また、請求項２にかかる発明は、
所定の巻き軸を中心にトイレットペーパが巻かれてロールを形成し、その端部を引くことで、トイレットペーパが回転して引出されるトイレットペーパロールにおいて、
前記ロールの、前記巻き軸に直交する２つの側面の相互間で、図柄が相違していることを特徴とするトイレットペーパロールである。
また、請求項３にかかる発明は、請求項１記載のトイレットペーパロールにおいて、
未使用時において、前記トイレットペーパの、前記端部から所定幅の領域のうちの少なくとも一部が、前記ロールの周面に貼り付けられており、
前記マークは、前記側面において、その円周上の前記領域と前記巻き軸とを結ぶ線から前記回転方向上流側の半面となる領域内に付されていることを特徴とする。
また、請求項４にかかる発明は、請求項１又は３記載のトイレットペーパロールにおいて、
前記側面に、前記マークが印刷されたシールが貼付されていることを特徴とする。
また、請求項５にかかる発明は、請求項１、３、又は４記載のトイレットペーパロールにおいて、
前記マークが矢印であることを特徴とする。
【発明の効果】
【００１０】
請求項１にかかる発明のトイレットペーパロールによれば、例えばメンテナンス業者にとって、トイレットペーパの引出し時の回転方向が上記マークにより一目瞭然となる。その結果、トイレットペーパロールの、ストッカやホルダへの望ましい姿勢での収納・セットが容易となり、メンテナンス業者の負担が軽減されることとなる。ここで、一般に、メンテナンス業者には、トイレットペーパロールが、一方の側面を上に向けて立てられた状態で複数個箱詰めされて配布されることが多い。メンテナンス業者は、箱を開梱してトイレットペーパロールを取り出しストッカやホルダに収納・セットすることとなる。この場合、メンテナンス業者には、箱を開梱した段階ではトイレットペーパロールの側面しか見えない。請求項１にかかる発明のトイレットペーパロールによれば、マークが付された側面を上に向けて箱詰めしておけば、メンテナンス業者には開梱の段階で直ちに回転方向が把握されることとなる。このため、メンテナンス業者は、開梱からストッカやホルダへの収納・セットに至る一連の作業をスムーズに行うことができ、この点でも、負担が軽減されることとなる。
【００１１】
請求項２にかかる発明のトイレットペーパロールでは、２つの側面の相互間で、図柄が相違している。このような図柄の相違は、各側面が、上記の望ましい姿勢にあるときのトイレットペーパロールの左右何れの側面であるかをメンテナンス業者が把握することの助けとなる。つまり、請求項２にかかる発明のトイレットペーパロールによれば、メンテナンス業者は、上記の図柄の相違に基づいてトイレットペーパロールの望ましい姿勢を把握することができる。延いては、トイレットペーパロールの、ストッカやホルダへの望ましい姿勢での収納・セットが容易となり、メンテナンス業者の負担が軽減されることとなる。また、この請求項２にかかる発明のトイレットペーパロールでも、側面の図柄からトイレットペーパロールの望ましい姿勢が把握されるので、上記のように側面しか見えない開梱時であっても、メンテナンス業者には開梱の段階で直ちに望ましい姿勢が把握される。つまり、この請求項２にかかる発明のトイレットペーパロールによっても、メンテナンス業者は、開梱からストッカやホルダへの収納・セットに至る一連の作業をスムーズに行うことができ、この点でも、負担が軽減されることとなる。
【００１２】
また、請求項３にかかる発明のトイレットペーパロールによれば、ストッカやホルダへの収納・セットに際し、上記マークの位置によって、次のような収納・セットを促すことができる。即ち、上記のように半面に上記マークが付されている場合、直感的に、そのマークが上側となる姿勢で収納・セットしようとする心理が働く。そして、このような姿勢での収納・セットは、上記の望ましい姿勢での収納・セットとなる。請求項３にかかる発明のトイレットペーパロールによれば、収納・セット時のこのような心理とも相俟って、負担が一層軽減されることとなる。
【００１３】
また、請求項４にかかる発明のトイレットペーパロールでは、マークはシールに印刷されるので、例えばトイレットペーパロールの側面にマークを直接印刷する場合に比べると、マークの印刷が容易である。
【００１４】
また、請求項５にかかる発明のトイレットペーパロールは、マークが矢印であるため、トイレットペーパの引出し時の回転方向が直感的に分かり、さらに負担が軽減される。
【００１５】
尚、ここまで、メンテナンス業者にとっての負担の軽減について説明したが、同様の負担が、メンテナンス業者に限らず、ホルダにトイレットペーパロールをセットして使用する者にとっても軽減されることはいうまでもない。
【図面の簡単な説明】
【００１６】
【図１】本発明の第１実施形態としてのトイレットペーパロールを示す図である。
【図２】図１に示されているトイレットペーパロールが保持されるロール保持装置の一例を示す図である。
【図３】トイレットペーパロールが直接セットされるホルダの一例を示す図である。
【図４】トイレットペーパロールの側面に付されるマークの別例を示す図である。
【図５】トイレットペーパロールの側面に付されるマークの別例を示す図である。
【図６】本発明の第２実施形態としてのトイレットペーパロールを示す図である。
【図７】印刷が一方の側面のみに施され他方の側面が無地となっているという、図柄の相違についての別例を示す図である。
【発明を実施するための形態】
【００１７】
以下、本発明の各種実施形態について図面を参照しながら説明する。まず、第１実施形態について説明する。
【００１８】
図１は、本発明の第１実施形態としてのトイレットペーパロールを示す図である。
【００１９】
この図１には、未使用状態のトイレットペーパロール１が示されている。このトイレットペーパロール１は、所定の巻き軸１ａを中心に帯状のトイレットペーパ１０が巻かれてロールを形成したものである。そして、この図１に示されているように、未使用状態において不用意に巻き解れてしまわないように、トイレットペーパ１０の端部１１から所定幅の領域が、ロールの周面１ｂに接着によって貼り付けられて仮止めされた仮止め領域１１ａとなっている。本実施形態では、仮止め領域１１ａは、トイレットペーパ１０の全幅に亘って設けられている。
【００２０】
尚、ここでは、特定しないが、このトイレットペーパロール１は、筒状のロール芯にトイレットペーパ１０が巻かれた芯有りタイプでもよく、あるいは、ロール芯を備えずにトイレットペーパ１０が巻かれた芯無しタイプでもよい。
【００２１】
また、本実施形態では、上記の仮止め領域１１ａが、トイレットペーパ１０の端部１１から所定幅の領域全てに亘る領域となっている。しかしながら、このような仮止め領域は、端部１１から所定幅の領域の少なくとも一部であれば足り、例えば、端部１１から若干離れた部分が仮止め領域となって、端部１１が自由端となっていてもよい。また、本実施形態では、上記の仮止め領域１１ａが、トイレットペーパ１０の全幅に亘って設けられた形態が例示されている。しかしながら、このような仮止め領域は、トイレットペーパ１０の幅方向について一部のみに設けられたものであってもよく、また、その仮止め方法も、仮止め領域１１ａをロールの周面１ｂに少なくとも一部について貼り付けて仮止めできる方法であれば、接着に限らずどのような方法であってもよい。
【００２２】
ここで、図１のトイレットペーパロール１の、巻き軸１ａに直交する２つの側面１ｃそれぞれに、トイレットペーパ１０の引出し時の回転方向を表すマークとして、この回転方向を表す円弧状矢印マーク２０が直接印刷されている。この円弧状矢印マーク２０が、本発明にいうマークの一例に相当する。また、この円弧状矢印マーク２０は、本発明にいう矢印の一例にも相当している。
【００２３】
尚、本実施形態では、本発明にいうマーク及び矢印の一例として、２つの側面１ｃそれぞれに印刷された円弧状矢印マーク２０が例示されている。しかしながら、本発明にいうマーク及び矢印はこれに限るものではなく、２つの側面１ｃのうち何れか一方にのみ印刷されたものであってもよい。
【００２４】
図２は、図１に示されているトイレットペーパロールが保持されるロール保持装置の一例を示す図である。
【００２５】
この図２に示すロール保持装置２は、予備のトイレットペーパロール１を収納するストッカ３０と、使用に供されるトイレットペーパロール１を保持するホルダ４０とが一体となった装置である。
【００２６】
ロール保持装置２は、縦長の矩形状の箱であり、上方の略３／４がストッカ３０で、下方の略１／３がホルダ４０となっている。ストッカ３０の上面は、開閉自在の蓋３１となっており、この蓋３１が開かれて予備のトイレットペーパロール１が投入される。ホルダ４０の前面には、ホルダ４０内のトイレットペーパロール１からトイレットペーパ１０の端部１１を引き出すための引出し口４１が設けられている。また、この引出し口４１には、舌片状に垂れ下がってトイレットペーパロール１の周面の一部を前方から覆うカバー４２が設けられている。このカバー４２は、引出し口４１の上縁に、左右方向に延びる回転軸を中心に回転自在に支持されるとともに、不図示のバネによってホルダ４０の内側に向けて付勢されている。これにより、カバー４２は、トイレットペーパロール１の周面を前方から押圧している。ホルダ４０は、引出し口４１から見て左右一対の側壁４３の間にトイレットペーパロール１を挟んだ状態で保持する。
【００２７】
ストッカ３０とホルダ４０との境界には、仕切り板５１が配置されている。この仕切り板５１は、ロール保持装置２の外側面に配置された操作レバー５２と連結軸で結ばれている。この仕切り板５１及び操作レバー５２は、ロール保持装置２の幅方向に延びる回転軸を中心に回転自在となっている。ホルダ４０内のトイレットペーパロール１０が使い切られホルダ４０内が空いている状態で、操作レバー５２が矢印Ａ方向に回されると、同方向に仕切り板５１が回転し、ストッカ３０内の予備のトイレットペーパロール１０が、ホルダ４０内へと落下する。これにより、新しいトイレットペーパロール１がホルダ４０にセットされる。その後、操作レバー５２が離されると、不図示のバネの付勢により仕切り板５１及び操作レバー５２は矢印Ａ方向と逆方向に回転して元の状態に戻る。
【００２８】
ここで、図２に示されているように、トイレットペーパロール１は、トイレットペーパ１０の端部１１が引出されるときの回転方向が、ホルダ４０の奥側からカバー４２の直下を経て手前側へと向かい、端部１１が上側から引出される順方向となっていることが望ましい。このような望ましい姿勢では、トイレットペーパ１０の端部１１がカバー４２の直下から引出されるので、引出したトイレットペーパ１０を切り取る際に、カバー４２の縁に沿わせて切り取ることができ便利である。そして、この図２に示されているロール保持装置２では、ストッカ３０からホルダ４０へとトイレットペーパロール１がそのままスライド移動する構造となっている。このため、ストッカ３０にも、このホルダ４０における望ましい姿勢と同じ姿勢で予備のトイレットペーパロール１が収納されることが望まれる。
【００２９】
本実施形態のトイレットペーパロール１では、その側面１ｃに、トイレットペーパ１０の引出し時の、ロールの回転方向を表す円弧状矢印マーク２０が付されている。この円弧状矢印マーク２０により、トイレットペーパロール１をストッカ３０に収納するメンテナンス業者にとって、トイレットペーパ１０の引出し時の回転方向が一目瞭然となる。このため、ストッカ３０への望ましい姿勢でのトイレットペーパロール１の収納が容易となる。
【００３０】
具体的には、メンテナンス業者は、円弧状矢印マーク２０の向きを確認し、この円弧状矢印マーク２０がストッカ３０の前面側、即ち、ホルダ４０における引出し口４１側を向く姿勢でトイレットペーパロール１をストッカ３０に収納する。図２には、このような姿勢でトイレットペーパロール１がストッカ３０に収納された様子が示されている。これにより、ストッカ３０からホルダ４０へとトイレットペーパロール１がスライド移動したとき、カバー４０の縁に沿わせたトイレットペーパ１０の切取りが可能となる望ましい姿勢でトイレットペーパロール１がホルダ４０にセットされることとなる。従って、本実施形態のトイレットペーパ１０によれば、ストッカ３０への収納に際してのメンテナンス業者の負担が軽減されることとなる。
【００３１】
また、本実施形態のトイレットペーパロール１が、ストッカが設置されていないトイレにおいて、ホルダに直接セットされる際にも、同様にメンテナンス業者の負担が軽減されることとなる。
【００３２】
図３は、トイレットペーパロールが直接セットされるホルダの一例を示す図である。
【００３３】
この図３に示されているホルダ３は、互いに対向し各々がトイレットペーパロール１の側面１ｃの一部を覆う一対の側壁６１を有し、これら一対の側壁６１の間にトイレットペーパロール１を挟んだ状態で保持する。各側壁６１には、トイレットペーパロール１の中心の中空孔１ｄへと進入し、トイレットペーパロール１を回転自在に支持する支持爪６２が設けられている。この支持爪６２は矢印Ｂ方向に回動自在となっているとともに、不図示のバネによって下方に付勢されている。トイレットペーパロール１がホルダ３の下方から矢印Ｃ方向に押し込まれると、各支持爪６２はトイレットペーパロール１に押し上げられて上方に回動する。そして、各支持爪６２の先端が中空孔１ｄに達するまでトイレットペーパロール１が押し込まれた段階で、上記のバネにより各支持爪６２が今度は下方に回動して中空孔１ｄへと進入する。この中空孔１ｄへの進入によりトイレットペーパロール１がホルダ３に保持される。
【００３４】
また、ホルダ３は、保持されたトイレットペーパロール１の周面の一部を上方から前方にかけて覆うカバー６３を備えている。このカバー６３はホルダ３の奥側の壁に、左右方向に延びる回転軸を中心に回転自在に支持されている。このカバー６３は自重により、トイレットペーパロール１の周面を上方から押圧している。
【００３５】
このホルダ３についても、トイレットペーパロール１は、トイレットペーパ１０の端部１１が引出されるときにホルダ３の奥側からカバー６３の直下を経て手前側へと向かい、その端部が上側から引出される順方向に回転する姿勢でセットされることが望ましい。これにより、トイレットペーパ１０の端部１１がカバー６３の直下から引出されるので、引出したトイレットペーパ１０を切り取る際に、カバー６３の縁に沿わせて切り取ることができ便利である。
【００３６】
そして、このホルダ３へのトイレットペーパロール１のセットに当たって、メンテナンス業者は、円弧状矢印マーク２０の向きを確認し、この円弧状矢印マーク２０がホルダ３の前面側を向く姿勢でトイレットペーパロール１を矢印Ｃ方向に押し込んでホルダ３にセットする。図３には、このような姿勢でトイレットペーパロール１がホルダ３にセットされた様子が示されている。このように、本実施形態のトイレットペーパロール１によれば、トイレットペーパロール１が直接セットされるホルダ３についても、そのセットに際してのメンテナンス業者の負担が軽減されることとなる。
【００３７】
ここで、一般に、メンテナンス業者には、トイレットペーパロールが、一方の側面を上に向けて立てられた状態で複数個箱詰めされて配布されることが多い。メンテナンス業者は、箱を開梱してトイレットペーパロールを取り出しストッカに収納することとなる。この場合、メンテナンス業者には、箱を開梱した段階ではトイレットペーパロールの側面しか見えない。図１に示されているトイレットペーパロール１によれば、メンテナンス業者には開梱の段階で直ちに回転方向が把握されることとなる。このため、メンテナンス業者は、開梱からストッカ３０やホルダ３への収納に至る一連の作業をスムーズに行うことができ、この点でも、負担が軽減されることとなる。
【００３８】
ここで、本実施形態では、上記の円弧状矢印マーク２０は、図１に示されているように、側面１ｃにおいて、未使用時のトイレットペーパロール１のその円周上の仮止め領域１１ａと巻き軸１ａとを結ぶ線から回転方向上流側の半面となる領域内に付されている。このトイレットペーパロール１によれば、ストッカ３０やホルダ３への収納・セットに際し、円弧状矢印マーク２０の位置によって、メンテナンス業者に次のような収納・セットを促すことができる。即ち、上記のように半面に円弧状矢印マーク２０が付されている場合、直感的に、その円弧状矢印マーク２０が上側となる姿勢で収納・セットしようとする心理が働く。そして、このような姿勢での収納・セットは、上記の望ましい姿勢での収納・セットとなる。このトイレットペーパロール１によれば、収納・セット時のこのような心理とも相俟って、負担が一層軽減されることとなる。
【００３９】
尚、本実施形態では、上述したように、トイレットペーパロール１の側面１ｃに、円弧状矢印マーク２０が直接印刷されている。しかしながら、本発明にいうマーク及び矢印は、側面１ｃに印刷されたものに限るものではなく、例えば矢印等の形状の凹部あるいは凸部等、その形状を視認できるものであればどのようなものであってもよい。
【００４０】
さらに、本発明にいうマーク及び矢印は、側面１ｃに直接印刷されたものに限るものではなく、例えば次のようなものであってもよい。
【００４１】
図４は、トイレットペーパロールの側面に付されるマークの別例を示す図である。
【００４２】
この図４に示されているトイレットペーパロール７では、その側面７ｃに、図１と同様の円弧状矢印マーク７１が印刷されたシール７２が貼付されている。この図４の別例では、円弧状矢印マーク７１の印刷が、トイレットペーパロール７の側面に直接印刷する場合と比較して容易なものとなっている。尚、側面７ｃに貼付されたシール７２は、ストッカへの収納時やホルダへのセット時にメンテナンス業者によって剥がされるものであってもよく、あるいは、貼付されたままでトイレットペーパロール７が使用に供されるものであってもよい。このシール７２が、本発明にいうシールの一例に相当する。また、図４に示されているシール７２は、トイレットペーパロール７の側面７ｃの一部を占めるものであるが、本発明にいうシールはこれに限るものではなく、例えばトイレットペーパロールの側面の全面を覆うものであってもよい。
【００４３】
ここで、図１や図４では、トイレットペーパロール１の側面１ｃに付されているマークが円弧状矢印マーク２０であるため、引出し時の回転方向が直感的に分かり、さらに負担が軽減される。
【００４４】
尚、トイレットペーパロール１の側面１ｃに付されるマークとしては、この円弧状矢印マーク２０に限るものではなく、例えば、以下に説明する別例のマークであっても良い。
【００４５】
図５は、トイレットペーパロールの側面に付されるマークの別例を示す図である。この図５には、３つの別例が、各々パート（ａ）、パート（ｂ）、及びパート（ｃ）に示されている。
【００４６】
図５のパート（ａ）では、トイレットペーパロール８の側面８ｃに、３つの三角マーク８１が付されている。これら３つの三角マーク８１は、各々の頂点が、端部８３が引かれる引出し時の回転方向前方を向き、この回転方向に沿って並ぶように円弧状に配列されており、図１の円弧状矢印マーク２０と同様に、トイレットペーパ８２の引出し時の回転方向を表している。
【００４７】
図５のパート（ｂ）では、トイレットペーパロール９の側面９ｃに、図中で左斜め下に向いた直線状矢印マーク９１が付されている。この直線状矢印マーク９１も、その形状は直線となっているが、端部９３が引かれてトイレットペーパ９２が引き出される時のトイレットペーパロール９の回転方向を表すものであることはいうまでもない。
【００４８】
図５のパート（ｃ）では、トイレットペーパロール１１０の側面１１０ｃに、引出し時のトイレットペーパ９２の回転方向に沿って略一周する円形矢印マーク１１１が付されている。この円形矢印マーク１１１は、図１に示されている円弧上矢印マーク２０や、図５のパート（ａ）に示されている三角マーク８１や、図５のパート（ｂ）に示されている直線状矢印マーク９１とは異なり、側面１１０ｃにおける上記の半面を超える領域に付されたものとなっている。これら半面の領域内に付されたマークは、そのマークの位置によって望ましい姿勢での収納・セットを促す点では円形矢印マーク１１１よりも優れているが、この円形矢印マーク１１１でも、端部１１３が引かれてトイレットペーパ１１２が引き出される時のトイレットペーパロール１１０の回転方向が容易に把握されることはいうまでもない。
【００４９】
尚、以上に挙げたマークは、あくまでも本発明にいうマークの一例であり、トイレットペーパの引出し時の回転方向を表すものであればその形状はどのような形状であってもよい。
【００５０】
次に、第２実施形態について説明する。尚、この第２実施形態でも、トイレットペーパロールが収納・セットされるストッカ付きのロール保持装置やホルダは、第１実施形態について図２や図３を参照して説明したロール保持装置２やホルダ３と同じであるので、以下では説明を割愛する。
【００５１】
図６は、本発明の第２実施形態としてのトイレットペーパロールを示す図である。
【００５２】
この図６に示されているトイレットペーパロール１２０では、左右２つの側面１２０Ｒ，１２０Ｌの相互間で、その図柄が相違している。具体的には、上述した望ましい姿勢にあるときに端部１２２側から見たときの右側の側面１２０Ｒに「右」の文字１２１Ｒが印刷され、左側の側面１２０Ｌに「左」の文字１２１Ｌが印刷されている。この図６に示されている、印刷された文字１２１Ｒ，１２１Ｌの相違による図柄の相違が、本発明にいう図柄の相違の一例に相当する。
【００５３】
メンテナンス業者は、ストッカへの収納時あるいはホルダへのセット時におけるトイレットペーパロール１２０の望ましい姿勢を、左右２つの側面１２０Ｒ，１２０Ｌの図柄の相違から容易に把握することができる。この図６の例では、「右」の文字１２１Ｒが印刷された側面１２０Ｒが、端部１２２側から見たときの右側となり、「左」の文字１２１Ｌが印刷された側面１２０Ｌが、端部１２２側から見たときの左側となる姿勢が望ましい姿勢となっている。メンテナンス業者は、トイレットペーパロール１２０、この図柄の相違から把握した望ましい姿勢でストッカに収納あるいはホルダにセットすることとなる。このように、トイレットペーパロール１２０によれば、ストッカやホルダへの望ましい姿勢での収納・セットが容易となり、メンテナンス業者の負担が軽減されることとなる。
【００５４】
また、この第２実施形態のトイレットペーパロール１２０によれば、上記の望ましい姿勢の把握が、側面の図柄に基づいて行われる。このため、上記のように側面しか見えない開梱時であっても、メンテナンス業者には開梱の段階で直ちに望ましい姿勢が把握される。つまり、このトイレットペーパロール１２０によっても、メンテナンス業者は、開梱からストッカやホルダへの収納・セットに至る一連の作業をスムーズに行うことができ、この点でも、負担が軽減されることとなる。
【００５５】
尚、図６では、図柄の相違の一例として、左右の両側面１２０Ｒ，１２０Ｌに印刷された図柄の相違が示されている。しかしながら、図柄の相違としては、印刷が一方の側面のみに施され他方の側面が無地となっているという、以下に説明する別例による図柄の相違も挙げられる。
【００５６】
図７は、印刷が一方の側面のみに施され他方の側面が無地となっているという、図柄の相違についての別例を示す図である。この図７には、３つの別例が、各々パート（ａ）、パート（ｂ）、及びパート（ｃ）に示されている。
【００５７】
図７のパート（ａ）では、トイレットペーパロール１３０の、望ましい姿勢に置かれたときの端部１３２の側から見て右側の側面１３０Ｒに黒点マーク１３１が印刷され、左側の側面１３０Ｌが無地となっている。このトイレットペーパロール１３０では、黒点マーク１３１が印刷された側面１３０Ｒが端部１３２側から見たときの右側となる姿勢が、望ましい姿勢となる。このように、図７のパート（ａ）に示されているトイレットペーパロール１３０も、メンテナンス業者にとって、望ましい姿勢の把握が容易であり、延いてはストッカやホルダへの収納・セットに際してのメンテナンス業者の負担が軽減されることとなる。また、開梱時には、黒点マーク１３１が見えていれば右側の側面１３０Ｒが上を向いていると把握され、見えていなければ左側の側面１３０Ｌが上を向いていると把握されることとなる。いずれの場合でも、メンテナンス業者は、開梱の段階でトイレットペーパロール１３０の望ましい姿勢を把握することができる。延いては、メンテナンス業者は、開梱からストッカやホルダへの収納・セットに至る一連の作業をスムーズに行うことができ、この点でも、負担が軽減されることとなる。
【００５８】
図７のパート（ｂ）では、トイレットペーパロール１４０の、望ましい姿勢に置かれたときの端部１４２の側から見て右側の側面１４０Ｒの半面が塗潰し領域１４１となっており、左側の側面１４０Ｌが無地となっている。この図７のパート（ｂ）に示されているトイレットペーパロール１４０も、メンテナンス業者にとって、望ましい姿勢の把握が容易であり、また、その把握が開梱の段階で可能となっている。つまり、図７のパート（ｂ）に示されているトイレットペーパロール１４０によっても、メンテナンス業者の負担が軽減されることとなる。
【００５９】
図７のパート（ｃ）では、トイレットペーパロール１５０の、望ましい姿勢に置かれたときの端部１５２の側から見て右側の側面１５０Ｒの全面が塗潰し領域１５１となっており、左側の側面１５０Ｌが無地となっている。この図７のパート（ｃ）に示されているトイレットペーパロール１５０によっても、メンテナンス業者の負担が軽減されることはいうまでもない。
【００６０】
尚、以上に挙げた図柄の相違は、あくまでも本発明にいう図柄の相違の一例であり、左右で相違しておりさえすれば、具体的な図柄はどのようなものであってもよい。
【００６１】
また、ここまで、各実施形態のトイレットペーパロールについて、メンテナンス業者にとっての負担の軽減を説明したが、同様の負担が、メンテナンス業者に限らず、ホルダにトイレットペーパロールをセットして使用する者にとっても軽減されることはいうまでもない。
【００６２】
また、前述した実施形態は本発明の代表的な形態を示したに過ぎず、本発明は、この実施形態に限定されるものではない。即ち、当業者は、従来公知の知見に従い、本発明の骨子を逸脱しない範囲で種々変形して実施することができる。かかる変形によってもなお本発明のトイレットペーパロールの構成を具備する限り、勿論、本発明の範疇に含まれるものである。
【符号の説明】
【００６３】
１，７，８，９，１１０，１２０，１３０，１４０，１５０    トイレットペーパロール
１ａ    巻き軸
１ｂ    周面
１ｃ，７ｃ，８ｃ，９ｃ，１１０ｃ，１２０Ｒ，１２０Ｌ，１３０Ｒ，１３０Ｌ，１４０Ｒ，１４０Ｌ，１５０Ｒ，１５０Ｌ    側面
２      ロール保持装置
３，４０    ホルダ
１０，８２，９２，１１２    トイレットペーパ
１１，８３，９３，１１３，１２２，１３２，１４２，１５２    端部
１１ａ  仮止め領域
２０，７１    円弧状矢印マーク
３０    ストッカ
３１    蓋
４１    引出し口
４２，６３    カバー
４３，６１    側壁
５１    仕切り板
５２    操作レバー
６２    支持爪
７２    シール
８１    ３つの三角マーク
９１    直線状矢印マーク
１１１  円形矢印マーク
１２１Ｒ，１２１Ｌ  文字
１３１  黒点マーク
１４１，１５１  塗潰し領域
【図１】
2015006229.tif 000003
【図２】
2015006229.tif 000004
【図３】
2015006229.tif 000005
【図４】
2015006229.tif 000006
【図５】
2015006229.tif 000007
【図６】
2015006229.tif 000008
【図７】
2015006229.tif 000009